(57)【要約】【課題】  光ディスクを正確かつ短時間でマウントすることができる光ディスク装置および光ディスクマウント方法を提供する。【解決手段】  この光ディスク装置では、まず挿入されたディスクの種類を自動的に判別する（ステップＳ１，Ｓ２）。次に、ディスク種類の判別結果を表示する（ステップＳ３）。ディスクの種類が誤判別され、ユーザによって正しいディスクの種類が入力された場合は、入力されたディスクの種類に応じてサーボ系の自動調整を行なう（ステップＳ４，Ｓ５）。このため、ディスクの種類が正しく判別されなかった場合でも、ディスクのマウントが適切に行なわれる。また、ディスク種類の判別のリトライ動作の繰返しが避けられる。したがって、ディスクを正確かつ短時間でマウントすることができる。【選択図】        図２
2006018968.tif 000002
【特許請求の範囲】
【請求項１】
複数種類の光ディスクの記録および再生を行なう光ディスク装置であって、
外部から挿入された光ディスクの表面にレーザ光を出射し、反射光に応じた電気信号を出力する光ピックアップ、
前記光ピックアップの出力信号に基づいて、光ディスクの種類を判別する判別手段、
前記判別手段によって判別された光ディスクの種類を表示する表示手段、
使用者が光ディスクの種類を入力する入力手段、および
使用者によって光ディスクの種類が入力されない場合は、前記判別手段によって判別された光ディスクの種類に応じてマウント動作を行ない、使用者によって光ディスクの種類が入力された場合は、入力された光ディスクの種類に応じてマウント動作を行なう制御手段を備える光ディスク装置。
【請求項２】
複数種類の光ディスクをマウントする光ディスクマウント方法であって、
外部から挿入された光ディスクの表面にレーザ光を出射し、反射光に応じた電気信号に基づいて、光ディスクの種類を判別する第１のステップ、
判別された光ディスクの種類を表示する第２のステップ、および
使用者によって光ディスクの種類が入力されない場合は、前記判別手段によって判別された光ディスクの種類に応じてマウント動作を行ない、使用者によって光ディスクの種類が入力された場合は、入力された光ディスクの種類に応じてマウント動作を行なう第３のステップを含む光ディスクマウント方法。
【発明の詳細な説明】
【技術分野】
【０００１】
この発明は、光ディスク装置および光ディスクマウント方法に関し、特に、複数種類の光ディスクの記録および再生を行なう光ディスク装置、および複数種類の光ディスクをマウントする光ディスクマウント方法に関する。
【背景技術】
【０００２】
光ディスク（以下、単にディスクとも称する）には、ＣＤ（コノパクト・ディスク）、ＣＤ−ＲＯＭ、ＣＤ−Ｒ、ＣＤ−ＲＷ、ＤＶＤ（ディジタル・ビデオ・ディスク）、ＤＶＤ−Ｒ、ＤＶＤ＋Ｒ、ＤＶＤ−ＲＷ、ＤＶＤ＋ＲＷ、ＤＶＤ−ＲＡＭなど様々な種類がある。複数種類の光ディスクの記録および再生を行なう光ディスク装置では、ディスクが挿入された後、そのディスクの種類を迅速かつ正確に判別する機能が求められる。ディスク種類の判別後、ディスクがマウントされて光ディスク装置に認識されると、データの記録・再生が可能となる。
【０００３】
従来の光ディスク装置では、ディスクの種類が正しく判別されない場合、ディスク種類の判別のリトライ動作を繰返すため、マウントされるまでに時間がかかるという問題があった。さらに、最終的にディスクの種類が正しく判別されなかった場合は、ディスクがマウントされないという問題があった。
【０００４】
下記の特許文献１には、ディスク種別の判定処理を正確に行なうと共に簡略化した、データ記録再生処理を開始するまでの立上げ時間を短縮することが可能な光ディスク装置が開示されている。この場合、装着したディスクの種類をユーザが特定し、ディスク起動により読出された情報に基づきユーザが特定したディスク種類の正否を判別する。また、ディスク起動によって読出された情報がユーザが特定したディスク種類と矛盾するときには、データ処理部１０６の自動判別手段によりディスクの種類を自動判別する。
【０００５】
下記の特許文献２には、複数種類の光ディスクを再生可能な光ディスク装置において、光ディスクを誤判定した場合でも、フォーカスコイル等の過大な電流を防止する方法が開示されている。
【０００６】
下記の特許文献３には、ターンテーブルに載置された光ディスクの種類に対応する以外のパワーダウン手段を動作させてパワーダウンさせることによって、消費電力を低減させるようにした光ディスク装置が開示されている。
【特許文献１】特開２００３−１７８４４５号公報
【特許文献２】特開２００３−１７３５４８号公報
【特許文献３】特開２００２−１１７６１１号公報
【発明の開示】
【発明が解決しようとする課題】
【０００７】
以上のように、従来の光ディスク装置では、ディスクの種類が正しく判別されない場合、ディスク種類の判別のリトライ動作を繰返すため、マウントされるまでに時間がかかるという問題があった。さらに、最終的にディスクの種類が正しく判別されなかった場合は、ディスクがマウントされないという問題があった。
【０００８】
それゆえに、この発明の主たる目的は、光ディスクを正確かつ短時間でマウントすることができる光ディスク装置および光ディスクマウント方法を提供することである。
【課題を解決するための手段】
【０００９】
この発明に係わる光ディスク装置は、複数種類の光ディスクの記録および再生を行なう光ディスク装置であって、外部から挿入された光ディスクの表面にレーザ光を出射し、反射光に応じた電気信号を出力する光ピックアップと、光ピックアップの出力信号に基づいて、光ディスクの種類を判別する種類判別手段と、種類判別手段によって判別された光ディスクの種類を表示する表示手段と、使用者が光ディスクの種類を入力する入力手段と、使用者によって光ディスクの種類が入力されない場合は、種類判別手段によって判別された光ディスクの種類に応じてマウント動作を行ない、使用者によって光ディスクの種類が入力された場合は、入力された光ディスクの種類に応じてマウント動作を行なう制御手段とを備えたものである。
【００１０】
この発明に係わる光ディスクマウント方法は、複数種類の光ディスクをマウントする光ディスクマウント方法であって、外部から挿入された光ディスクの表面にレーザ光を出射し、反射光に応じた電気信号に基づいて、光ディスクの種類を判別する第１のステップと、判別された光ディスクの種類を表示する第２のステップと、使用者によって光ディスクの種類が入力されない場合は、種類判別手段によって判別された光ディスクの種類に応じてマウント動作を行ない、使用者によって光ディスクの種類が入力された場合は、入力された光ディスクの種類に応じてマウント動作を行なう第３のステップとを含む。
【発明の効果】
【００１１】
この発明に係わる光ディスク装置では、複数種類の光ディスクの記録および再生を行なう光ディスク装置であって、外部から挿入された光ディスクの表面にレーザ光を出射し、反射光に応じた電気信号を出力する光ピックアップと、光ピックアップの出力信号に基づいて、光ディスクの種類を判別する種類判別手段と、種類判別手段によって判別された光ディスクの種類を表示する表示手段と、使用者が光ディスクの種類を入力する入力手段と、使用者によって光ディスクの種類が入力されない場合は、種類判別手段によって判別された光ディスクの種類に応じてマウント動作を行ない、使用者によって光ディスクの種類が入力された場合は、入力された光ディスクの種類に応じてマウント動作を行なう制御手段とが設けられる。したがって、ディスクの種類が正しく判別されなかった場合でも、ユーザが正しいディスクの種類を入力することによって、ディスクのマウントが適切に行なわれる。また、ディスク種類の判別のリトライ動作の繰返しが避けられる。このため、ディスクを正確かつ短時間でマウントすることができる。
【００１２】
この発明に係わる光ディスクマウント方法は、複数種類の光ディスクをマウントする光ディスクマウント方法であって、外部から挿入された光ディスクの表面にレーザ光を出射し、反射光に応じた電気信号に基づいて、光ディスクの種類を判別する第１のステップと、判別された光ディスクの種類を表示する第２のステップと、使用者によって光ディスクの種類が入力されない場合は、種類判別手段によって判別された光ディスクの種類に応じてマウント動作を行ない、使用者によって光ディスクの種類が入力された場合は、入力された光ディスクの種類に応じてマウント動作を行なう第３のステップとを含む。したがって、ディスクの種類が正しく判別されなかった場合でも、ユーザが正しいディスクの種類を入力することによって、ディスクのマウントが適切に行なわれる。また、ディスク種類の判別のリトライ動作の繰返しが避けられる。このため、ディスクを正確かつ短時間でマウントすることができる。
【発明を実施するための最良の形態】
【００１３】
図１は、この発明の一実施の形態による光ディスク装置の要部の構成を示すブロック図である。図１において、この光ディスク装置は、ディスク１、モータ２、光ピックアップ３、制御部４、信号処理部５、入力部６、表示部７および記憶部８を備える。
【００１４】
モータ２は、ＣＤやＤＶＤなどのディスク１を回転させる。光ピックアップ３は、ディスク１の半径方向に移動しながら、ディスク１の表面にレーザ光を出射してデータの記録を行なうとともに、反射光を電気信号に変換してデータの再生を行なう。信号処理部５は、記録データの変調や再生データの復調などの各種信号処理を行なう。入力部６は、ユーザからの操作指示を受ける。表示部７は、光ディスク装置の動作状況やディスク１に関する情報を表示する。記憶部８は、ディスク１の記録・再生などの動作を制御する制御プログラムや制御パラメータなどを記憶する。制御部４は、光ディスク装置全体の動作を制御する。
【００１５】
複数種類の光ディスクの記録および再生を行なう光ディスク装置では、ディスク１が外部から挿入された後、ディスクの種類を判別してからマウント動作を行なう。制御部４は、ディスク１からの反射光の光量などに基づいて、挿入されたディスクの種類を判別する判別機能を有する。
【００１６】
図２は、光ディスクマウント方法について説明するためのフローチャートである。図１および図２を参照して、ステップＳ１において、制御部４は、ディスク１が外部から挿入されたかどうかを判定する。ディスク１が挿入されると（ＹＥＳ）、ステップＳ２に進む。
【００１７】
ステップＳ２において、制御部４は、光ピックアップ３からディスク１の表面にレーザ光を出射させてフォーカス制御などを行なうとともに、ディスク１からの反射光の光量などに基づいて、ディスクの種類を判別する。
【００１８】
次に、ステップＳ３において、制御部４は、ディスク種類の判別結果を表示部７に表示させる。図３は、ディスク種類の判別結果の一例を示す図である。ＣＤ、ＣＤ−ＲＯＭ、ＣＤ−Ｒ、ＣＤ−ＲＷ、ＤＶＤ、ＤＶＤ−Ｒ、ＤＶＤ＋Ｒ、ＤＶＤ−ＲＷ、ＤＶＤ＋ＲＷ、ＤＶＤ−ＲＡＭなどのディスクに関する情報は、記憶部８に予め格納される。制御部４は、ディスクの厚さの違いや反射率の違いなどに基づいてディスク１の種類を判別し、判別結果（たとえば、ＤＶＤ−Ｒ）を表示してユーザに通知する。
【００１９】
図２に戻って、ステップＳ４において、判別されたディスクの種類が正しい場合はユーザによってディスク種類が入力されず（ＮＯ）、ステップＳ５に進み、判別されたディスクの種類に応じてサーボ系の自動調整を行なう。
【００２０】
一方、書込み品質の悪いディスクが挿入された場合など、ディスクの種類が正しく判別されないことがある。ディスクの種類が判別されない場合は何度か判別処理を繰返す（リトライ動作）。その結果、最終的にディスクの種類が判別されなかった場合は、ステップＳ３において、たとえば「Ｎｏ−Ｄｉｓｃ」と表示される。また、ディスクの種類が誤判別された場合は、誤判別されたディスクの種類が表示される（たとえば、ＤＶＤ−ＲＡＭなど）。
【００２１】
この場合、ユーザは、入力部６を介して正しいディスクの種類を入力する。ユーザは、ディスク種類の判別のリトライ動作が行なわれている途中にディスクの種類を入力してもよい。ステップＳ４において、ユーザによってディスクの種類が入力された場合（ＹＥＳ）、ステップＳ３に戻って、制御部４は入力されたディスクの種類を表示部７に表示させる。正しいディスクの種類が入力された場合はフォーカス引込みを行なうことができ、ステップＳ５に進み、ユーザによって入力されたディスクの種類に応じてサーボ系の自動調整を行なう。
【００２２】
次に、ステップＳ６において、ディスクがマウントされて光ディスク装置に認識された後、データの記録・再生が可能となる。
【００２３】
以上のように、この一実施の形態では、ディスクの種類が正しく判別されなかった場合でも、ユーザが正しいディスクの種類を入力することによって、ディスクのマウントが適切に行なわれる。また、ディスク種類の判別のリトライ動作の繰返しが避けられる。したがって、ディスクを正確かつ短時間でマウントすることができる。
【００２４】
なお、ディスクを挿入する前に、ユーザが予めディスクの種類を入力しておいてもよい。この場合、ディスクの種類の判別動作が省略されるため、マウント動作の高速化が図れるとともに、誤判別が防止される。
【００２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２６】
【図１】この発明の一実施の形態による光ディスク装置の要部の構成を示すブロック図である。
【図２】光ディスクマウント方法について説明するためのフローチャートである。
【図３】ディスク種類の判別結果の一例を示す図である。
【符号の説明】
【００２７】
１  ディスク、２  モータ、３  光ピックアップ、４  制御部、５  信号処理部、６  入力部、７  表示部、８  記憶部。
【図１】
2006018968.tif 000003
【図２】
2006018968.tif 000004
【図３】
2006018968.tif 000005